(57)【要約】【課題】本発明は、従来の振動破砕工法に代わる振動騒音、粉塵飛散の少ないコンクリート製建物地下室スラブ及び耐圧板の一部の撤去工法を提供することを課題とする。【解決手段】地下室スラブ及び耐圧板の一部を切削用ケーシングによって円盤状に切断する第１工程と、円盤状に切断された地下室スラブ及び耐圧板を地中から引き上げるためのワイヤを備えた引上撤去用ケーシングの先端が耐圧板下部に達するまで降下させる第２工程と、引上撤去用ケーシングに備えたワイヤを引き上げてワイヤの下方部分を円盤状に切断された耐圧板の下部に移動して支持し引上撤去用ケーシング内に収容する第３工程と、引上撤去用ケーシング内に収容された円盤状の耐圧板を引上撤去用ケーシングの引き上げによって、円盤状に切断された地下室スラブとともに地上に取り出し撤去する第４工程とでなる地下室の一部撤去工法、及び同工法で使用する引上撤去用ケーシングによる。【選択図】  図４
2020143496.tif 000002
【特許請求の範囲】
【請求項１】
地上部の解体を終えたコンクリート製建物の地下室スラブ及び耐圧板の一部を穿孔して撤去する地下室スラブ及び耐圧板の一部穿孔撤去工法であって、
先端に切削具を有する切削用ケーシングをクレーン車に吊着して回転降下させ、地下室スラブ及び耐圧板の一部をを円盤状に切断する第１工程と、
第１工程を終えた切削用ケーシングを引き上げて取り外し、次いで円盤状に切断された地下室スラブ及び耐圧板を地中から引き上げるためのワイヤを備えた引上撤去用ケーシングをクレーン車に吊着してその先端が耐圧板下部に達するまで降下させる第２工程と、
前記引上撤去用ケーシングに備えたワイヤを地上から引っ張って、該ワイヤの下方部分を円盤状に切断された耐圧板の下部に移動させて支持するとともに、切断された耐圧板を引上撤去用ケーシング本体内に収容する第３工程と、
ワイヤの下方部分で支持され引上撤去用ケーシング本体内に収容された耐圧板を引上撤去用ケーシング本体の引き上げによって、円盤状に切断されていた地下室スラブとともに地上に取り出し撤去する第４工程と
でなることを特徴とするコンクリート製建物地下室の一部穿孔撤去工法。
【請求項２】
請求項１に記載のコンクリート製建物の地下室の一部穿孔撤去工法で使用される引上撤去用ケーシングであって、
円筒形状のケーシング本体と、該ケーシングの下端部内壁に９０度離間させてそれぞれの中央部が固着され、両端が前記ケーシングの上端部近傍に穿設された孔からケーシング外に引き出されてなる２本のワイヤとで構成され、かつ前記２本のワイヤにはケーシング降下時にケーシング本体の下端部の側壁ともども、第１工程において切削用ケーシングで穿設されたリング状の間隙を通過させられる外径のものが用いられてなることを特徴とする引上撤去用ケーシング。
【請求項３】
前記ワイヤーが、引上撤去用ケーシング降下時において、前記切削用ケーシングで穿設されたリング状の間隙を通過させられるよう、前記ケーシング本体の下端部内壁に沿って配設され、その複数箇所が針金によって該ケーシング内壁に仮止めされてなることを特徴とする請求項２に記載の引上撤去用ケーシング。
【発明の詳細な説明】
【技術分野】
【０００１】
地上部の解体を終えたコンクリート製建物の地下室の一部を穿孔して撤去する穿孔撤去工法、及び同工法で使用する切断された地下室スラブと耐圧板とを地中から引き上げて撤去する引上撤去用ケーシングに関する。
【背景技術】
【０００２】
大形建設機械の投入が困難な密集市街地におけるコンクリート製建物の地下室を撤去する場合、削岩機のような振動ドリル等を用いての破砕工法が一般的に行われているが、この工法では実施時に発生する騒音と粉塵の周辺への拡散防止に配慮が必要となり、特に住宅地においては作業時間帯を昼間に限らざるをえないことにもとなっていた。
【発明の概要】
【発明が解決しようとする課題】
【０００３】
本発明は、上記背景技術に鑑み、従来の振動破砕工法に代わる振動騒音、粉塵飛散の少ないコンクリート製建物地下室スラブ及び耐圧板の一部の撤去工法を提供することを課題として行ったものである。
【課題を解決するための手段】
【０００４】
本発明者は上記課題を下記の手段により解決した。
（１）地上部の解体を終えたコンクリート製建物の地下室スラブ及び耐圧板の一部を穿孔して撤去する地下室スラブ及び耐圧板の一部穿孔撤去工法であって、
先端に切削具を有する切削用ケーシングをクレーン車に吊着して回転降下させ、地下室スラブ及び耐圧板の一部をを円盤状に切断する第１工程と、
第１工程を終えた切削用ケーシングを引き上げて取り外し、次いで円盤状に切断された地下室スラブ及び耐圧板を地中から引き上げるためのワイヤを備えた引上撤去用ケーシングをクレーン車に吊着し、その先端が耐圧板下部に達するまで降下させる第２工程と、
前記引上撤去用ケーシングに備えたワイヤを地上から引っ張って、該ワイヤの下方部分を円盤状に切断された耐圧板の下部に移動させて支持するとともに、切断された耐圧板を引上撤去用ケーシング本体内に容する第３工程と、
ワイヤの下方部分で支持され引上撤去用ケーシング本体内に収容された耐圧板を、引上撤去用ケーシングの引き上げによって、円盤状に切断されていた地下室スラブとともに地上に取り出し撤去する第４工程と
でなることを特徴とする解体コンクリート建物地下室の一部撤去工法。
（２）前記（１）に記載のコンクリート製建物の地下室の一部穿孔撤去工法で使用される引上撤去用ケーシングであって、
円筒形状のケーシング本体と、該ケーシングの下端部内壁に９０度離間させてそれぞれの中央部が固着され、両端が前記ケーシングの上端部近傍に穿設された孔からケーシング外に引き出されてなる２本のワイヤとで構成され、かつ前記２本のワイヤにはケーシング降下時にケーシング本体の下端部の側壁ともども、第１工程において切削用ケーシングで穿設されたリング状の間隙を通過させられる外径のものが用いられてなることを特徴とする引上撤去用ケーシング。
（３）前記ワイヤーが、引上撤去用ケーシング降下時において、前記切削用ケーシングで穿設されたリング状の間隙を通過させられるよう、前記ケーシング本体の下端部内壁に沿って配設され、その複数箇所が針金によって該ケーシング内壁に仮止めされてなることを特徴とする（２）に記載の引上撤去用ケーシング。
【発明の効果】
【０００５】
本発明のコンクリート製建物の地下室の一部穿孔撤去工法、及び同工法で使用される引上撤去用ケーシングによって下記の効果が発揮される。
〈１〉地上部の解体を終えたコンクリート製建物の地下室スラブ及び耐圧板の一部を穿孔して撤去する地下室スラブ及び耐圧板の一部穿孔撤去工法であって
先端に切削具を有する切削用ケーシングをクレーン車に吊着して回転降下させ、地下室スラブ及び耐圧板の一部をを円盤状に切断する第１工程と、
第１工程を終えた切削用ケーシングを引き上げて取り外し、次いで円盤状に切断された地下室スラブ及び耐圧板を引き上げるためのワイヤを備えた引上撤去用ケーシングをクレーン車に吊着し、その先端が耐圧板下部に達するまで降下させる第２工程と、
前記引上撤去用ケーシングに備えたワイヤを地上から引っ張って、該ワイヤの下方部分を円盤状に切断された耐圧板の下部に移動させて支持するとともに、切断された耐圧板を引上撤去用ケーシング本体内に容する第３工程と、
ワイヤの下方部分で支持され引上撤去用ケーシング本体内に収容された耐圧板を引上撤去用ケーシング本体の引き上げによって、円盤状に切断されていた地下室スラブとともに地上に取り出し撤去する第４工程とでなるので、
大型建設機械の投入が困難な密集市街地においてもコンクリート製建物地下室の撤去作業が無振動で行えることから、騒音と粉塵の発生がなく、静寂で清浄な周辺環境の保全が確保できる。
【０００６】
〈２〉前記引上撤去用ケーシングが、円筒形状のケーシング本体と、該ケーシング本体の下端部内壁に９０度離間させてそれぞれの中央部が固着され、両端が前記ケーシングの上端部近傍に穿設された孔からケーシング本体外に引き出されてなる２本のワイヤとで構成され、かつ前記２本のワイヤにはケーシング降下時にケーシング本体の下端部の側壁ともども、第１工程において切削用ケーシングで穿設された地下室スラブと耐圧板のリング状の間隙を通過させられる外径のものが用いられ、かつ前記ワイヤーが、引上撤去用ケーシング降下時において、前記切削用ケーシングで穿設されたリング状の間隙を通過させられるように前記ケーシング本体の下端部内壁に沿って配設されるとともにその複数箇所が針金によって該ケーシング内壁に仮止めされているので、
引上撤去用ケーシングの下端部を前記切削用ケーシングで地下室スラブ及び耐圧板に切削されたリング状の間隙を通過させた後、２本のワイヤを引っ張るとケーシング本体の下端部内壁へのワイヤの仮止めが解除され、２本のワイヤの下方部分が切断された耐圧板の下部に移動して井桁状に配設されて支持するととともに、前記ワイヤの中央部がケーシング本体に固着されていることから、切断された耐圧板が引上撤去用ケーシング本体内に収容される。したがって、その状態を保持ながらケーシング本体とともに引き上げればよく、極めて簡便な機構と操作とでコンクリート製建物地下室のスラブ及び耐圧板の一部撤去か可能となり、工期の短縮、撤去経費の削減の図れる。
また引き上げられた引上撤去用ケーシングから耐圧板及び地下室スラブを取り出す際には、前記引上撤去用ケーシングを上下逆にしてクレーン車に吊設し、該ケーシングを地面にたたき付ければ耐圧板及び地下室スラブは自重によって落下してケーシング本体外に排出されるので、撤去作業が簡便かつ効率よく実施できる。
【図面の簡単な説明】
【０００７】
【図１】本発明の引上撤去用ケーシングの外観斜視図
【図２】本発明の引上撤去用ケーシングの横断面図
【図３】本発明の引上撤去用ケーシング降下時におけるワイヤのケーシング本体への装着状態説明図
【図４】本発明の地下室の一部撤去工法の手順説明図
【発明を実施するための形態】
【０００８】
本発明のコンクリート製建物の地下室の一部穿孔撤去工法を実施可能とした引上撤去用ケーシングの実施の形態を、図１の外観斜視図、図２の横断面図、及び３図の引上撤去用ケーシング降下時におけるワイヤのケーシング本体への装着状態説明図に基づいて説明する。
図において１は引上撤去用ケーシング、１ａはケーシング本体、１ｂはケーシング本体側壁の穿設孔、２ａ、２ｂはワイヤ、３はワイヤ中央部をケーシング本体の配壁面に固着する固底具を示す。
本発明の引上撤去用ケーシング１は、図１に示すように、円筒形状のケーシング本体１ａと、該ケーシング本体１ａの下端部内壁に９０度離間させてそれぞれの中央部が固着され、両端が前記ケーシング本体１ａの上端部近傍に穿設された穿設孔１ｂからケーシング本体１ａ外に引き出されてなる２本のワイヤ２ａ、２ｂとで構成され、かつ前記２本のワイヤ２ａ、２ｂには引上撤去用ケーシング１が降下するとき、ケーシング本体１ａの側壁ともども、後述する本地下室の一部撤去工法の第１工程において切削用ケーシング３０で穿設された地下室スラブ１０及び耐圧板２０に穿たれたリング状の間隙を通過させられる外径のものが用いられる。例えば前記リング状の間隙の幅が５０ｍｍの場合においては、１４ｍｍφ、１６ｍｍφ、１９ｍｍφのより線ワイヤが使用される。
そして前記ワイヤー２ａ、２ｂは、引上撤去用ケーシング３０の降下時においては、図３に示すように、前記ケーシング本体１ａの下端部内壁に沿って配設され、その複数箇所が図示されてはいないが針金等によって該ケーシング１ａの内壁に仮止めされている。
【０００９】
次いで上記の引上撤去用ケーシング１を使用して地下室の一部撤去工法の手順について図４に基づいて説明する。
本発明の地下室の一部撤去工法は、図４（ａ）に示すように、先端に切削具３１を有する切削用ケーシング３０をクレーン車に吊着して回転降下させ、地下室スラブ１０、及び耐圧板２０を順次切削して円盤状に切断する第１工程から始まる。地下室スラブ１０と耐圧板２０との間には空間が設けられているので、切断された地下室スラブ（以下切断スラブという）１０’は切断された耐圧板（以下切断耐圧板という）２０’上に落下する。
次いで図４（ｂ）に示すように、前記切削用ケーシング３０を引き上げて取り外し、前記切断スラブ１０’と切断耐圧板２０’とを地上に引き上げるためのワイヤ２ａ、２ｂを備えた引上撤去用ケーシング１をクレーン車に吊設し、その先端が前記第１工程で地下室スラブ１０と切断スラブ１０’、及び耐圧板２０と切断耐圧板２０’の間に穿たれたリング状の間隙を通過させ切断耐圧板２０’の下部に達する位置までまで降下させる第２工程を行うことから、ワイヤ２ａ、２ｂはケーシング本体１ａの下端部内壁に沿って配設されなければならず、その複数箇所が図示されてはいない針金等によって該ケーシング１ａの内壁に仮止めされ、また使用するワイヤ２ａ、２ｂの太さも間隙幅によって制約される。
【００１０】
前記第２工程に引き続き図４（ｃ）に示すように、２本のワイヤ２ａ、２ｂを切断耐圧板２０’の下部に井桁状に配設して支持し、ケーシング本体１ａ内に収容する第３工程を実施する。
ワイヤ２ａ、２ｂはその中央部がケーシング本体１ａの下端部内壁にワイヤ固定具３によって固定され、両端部は図２に示したようにケーシング本体１ａの上端部近傍に穿設された穿設孔１ｂからケーシング本体１ａ外に引き出されているので、その両端を地上で強く引っ張ることで、先に内壁に沿って配設されていたワイヤ２ａ、２ｂの針金等による仮止めが解除され切断耐圧板２０’の下部にワイヤ２ａ、２ｂが井桁状に配設されることになる。
【００１１】
２本のワイヤ２ａ、２ｂによって井桁状に支持されケーシング本体１ａ内に収容した引上撤去用ケーシング１を図４（ｄ）に示すようにクレーン車で引き上げる第４工程を行えば、切断耐圧板２０’は切断スラブ１０’とともに撤去され、地下室スラブ１０及び耐圧板２０に円形の孔が穿たれて切断撤去工程は完了する。
その後、ケーシング本体１ａ内に収容された切断スラブ１０’と切断耐圧板２０’を取り除けばよく、これには引上撤去用ケーシング１を一旦地上に横倒しするとともに、ワイヤ２ａ、２ｂの緊張を弛めた後、上下逆にしてクレーン車に吊設し、該ケーシングを地面にたたき付ければ切断耐圧板２０’及び切断地下室スラブ１０は自重によって落下してケーシング本１に排出される。
【符号の説明】
【００１２】
１：引上撤去用ケーシング
１ａ：ケーシング本体
１ｂ：穿設孔
２ａ，２ｂ：ワイヤ
３：ワイヤ固定具
１０：地下室スラブ
１０’：切断スラブ
２０：耐圧板
２０’：切断耐圧板
３０：切削用ケーシング
３１：切削具
【図１】
2020143496.tif 000003
【図２】
2020143496.tif 000004
【図３】
2020143496.tif 000005
【図４】
2020143496.tif 000006